(57)【要約】【課題】  電子レンジでの炊飯に容器に土鍋を用いると単純な出力制御で炊飯が可能であることは、特許第4143936号により明らかであり、また、電子レンジ用の陶器製炊飯容器は、二重蓋の物や、本体も蓋も二重になった物、中には蓋を三重にした物などがあるが、噴きこぼれを解決できなかったり、複数の蓋があることで取扱いが面倒であったり、といった問題がある。そこで、取扱いを簡便にするために一重の蓋で、噴きこぼれしにくい炊飯土鍋の蓋を提供することを目的とするものである。【解決手段】  お釜の木の蓋が平らで分厚くて重いことに着目し、ガス炊き用の二重蓋の炊飯土鍋の中蓋を厚くしたものを用い、蓋の周に蒸気抜を等間隔で設けることにより沸騰で噴き出したおねばが土鍋の中へ戻るようにすることで、一重の蓋で沸騰を持続させつつ噴きこぼれしにくい電子レンジ用炊飯土鍋の蓋を提供する。【選択図】      図１
2013022394.tif 000002
【特許請求の範囲】
【請求項１】
加熱容器の沸騰を持続させつつ噴きこぼれを起こしにくくするために、蒸気抜を周に設けた蓋。
【請求項２】
炊飯土鍋での炊飯において、沸騰を持続させつつ噴きこぼれを起こしにくくするために、周に蒸気抜を設け、底面が平らで厚みのある重い炊飯土鍋用の蓋。
【発明の詳細な説明】
【技術分野】
【０００１】
本発明は、電子レンジで炊飯する場合に容器として用いる土鍋を取扱いを簡便にするために、一重の蓋でも沸騰を持続させつつ噴きこぼれを起こしにくくするための、蓋に関するものである。
【背景技術】
【０００２】
電子レンジでの炊飯において、容器に土鍋を用いると、単純な出力制御で良好な炊飯が可能であることは、特許第4143936号により明らかである。
【０００３】
また、電子レンジ用の陶器製の炊飯容器は、二重蓋の一膳炊飯茶碗や、本体も蓋も二重になった土鍋、蓋を三重にした物、などがある。
【０００４】
しかしながら、これらの炊飯容器には、噴きこぼれたり、複数の蓋があることで取扱いが面倒であったり、解決すべき課題がある。
【先行技術文献】
【特許文献】
【０００５】
【特許文献１】特許第4143936号
【特許文献２】特許第3110007号
【特許文献３】特許第4547399号
【特許文献４】特願2009-122661
【発明の概要】
【発明が解決しようとする課題】
【０００６】
本発明は、電子レンジ用炊飯土鍋の取扱いを簡便にするために、一重の蓋で、良好な炊飯ができるよう、沸騰を持続させつつ噴きこぼれしにくい炊飯土鍋の蓋を提供することを目的とするものである。
【課題を解決するための手段】
【０００７】
ガス炊き用の二重蓋の炊飯土鍋はおいしく炊ける事で定評があるが、これを用いて電子レンジで炊飯すると、噴きこぼれが激しかったり、中蓋の蒸気抜の穴から米粒が上がったり、中蓋の上におねばが溜まる、などの問題があり、中には、外蓋の上に米が飛び出してしまうものもあり、そのまま電子レンジに用いるのは難しい。
【０００８】
これは、ガス加熱での炊飯では、加熱容器である土鍋を温めてから熱伝導で土鍋の中の米と水を温めるのに対して、電子レンジでの炊飯では、マイクロ波が土鍋の中の米と水を直接温め、その後、中からの熱伝導で土鍋が温まるといった加熱順序になるため、マイクロ波加熱に遠赤外線加熱が加わることにより、電気の出力のみでは得にくい高温が急激に作り出されるため、沸騰が激しくなるからであると考えられる。
【０００９】
電子レンジでの土鍋の炊飯が難しいは、このようなメカニズムにより沸騰が激しくなり一気に噴き上がるからであり、土鍋の形状は、特許第4143936号に記載されているように、ガス炊き用の炊飯土鍋よりも淵を高くすることが望ましい。
【００１０】
マイクロ波加熱に遠赤外線加熱が加わるこの加熱は、かまどでの炊飯が、まきを燃やす加熱に、かまどが温められて放出される遠赤外線が加わることにより、一気に噴き上がる加熱過程と同様の効果が得られるため、土鍋を用いた電子レンジでの炊飯は、おいしく炊き上がるのである。
【００１１】
ガス炊き用の炊飯土鍋で、激しい沸騰によって中蓋の蒸気抜の穴から米粒が上がってしまう原因の一つには中蓋の穴が米粒より大きすぎることがあり、逆に、外蓋の上に米が飛び出してしまうのは、蓋の穴が小さくて、一気に噴き上がるおねばや蒸気をうまく出すことができないことと、噴き上がる圧力に対して蓋が軽いことで起こると考えられる。
【００１２】
これらの問題を解決し、取り扱いを簡便にするためにするために、炊飯土鍋の外蓋を重くするために厚くして一重で用い、土鍋本体の蓋を受ける１．２cm程度の幅の部分から米粒が沸騰で上がることがなく、おねばは上がっても戻ることができることをねらいとして、蒸気抜は蓋の周に幅、奥行き共に１．５cm程度のものを３か所、等間隔に設け、500Wのみで沸騰させて炊飯した。
【００１３】
炊飯の結果、激しい沸騰によっておねばは蓋の周の蒸気抜から噴き上がるが、土鍋の淵からこぼれることは無く、加熱終了後には土鍋の中に戻り、米粒が蓋の上に上がることなく炊飯できた。
【００１４】
ガス炊き用３合炊飯土鍋で、容積1500ccの物では電子レンジでは300ccの米まで、また、容積2000ccで淵を高くした物では400ccの米が炊飯可能であり、容積2000ccの物では半分の200ccの米も良好に炊き上がり、さらに100ccの米で全粥も良好に炊けた。
【００１５】
沸騰後、特許第4143936号に記載されているように、出力を下げて沸騰を持続させるのが理想であるが、炊飯土鍋は一般の土鍋よりも質量が大きいので出力を200Wに下げると沸騰を持続させられず、500Wのみで沸騰を続けたところ、激しい沸騰による水蒸気が水滴となって電子レンジの庫内がひどく濡れる難点があるが、この蓋を用いれば沸騰してから出力を下げなくても一重の蓋で炊飯可能であり、沸騰が持続可能な出力に下げることができれば庫内の濡れが激しくなる問題は解決される。
【００１６】
沸騰によって蓋の周の蒸気抜から上がったおねばは、加熱終了後土鍋の中に戻り、蒸らし過程でそれほど問題なく全体に馴染んでいくが、土鍋中央部分に少し炊きむらができる傾向があった。
【００１７】
中央部分に炊きむらが起こるのは、土鍋の蓋のドーム状の形状と、蒸気抜を周に設けたことによって、沸騰が中央まで行き渡りにくくなることが原因であると考えられ、この問題を解決するために、お釜の木製の蓋が分厚くて重く底面が平らであることに着目し、炊飯土鍋の外蓋ではなく、平らな中蓋を分厚く重くして一重で用い、蒸気抜を周に等間隔で設けることにした。
【発明の効果】
【００１８】
本発明の、蓋の周に蒸気抜を設けた底面が平らで厚みのある重い蓋を用いることにより、噴きこぼれしにくくなり、蓋が一重であることで、炊飯土鍋の取扱いが簡便になる。
【発明を実施するための形態】
【００１９】
6号土鍋を深くした形状のガス炊き用３合炊飯土鍋に用いる蓋として、直径１７．５cmで、蓋の底面が平らで厚みのある重い物とし、蒸気抜は大きすぎると蓋本来の機能である保温性を保てなくなり沸騰させにくくなるので、図1のように幅、奥行き共に１．５cm程度のものを３か所、等間隔に設ける。
【００２０】
蓋の底面は、全体的には平らであるが糸底があり、持ち手は、一般的な土鍋の蓋に比べて重いので、力が入れやすく持ちやすい形にする。
【実施例１】
【００２１】
容積1500ccの炊飯土鍋に、本発明の鍋蓋を用い、無洗米300ccと水420cc(約1.4倍)を入れて、電子レンジで浸漬時間なしで200W5分の後、500Wに切り替えて13分加熱し、または、500Wで沸騰させた後、沸騰持続可能な出力に下げて５分程度加熱し、加熱後10分程度むらす。  
【実施例２】
【００２２】
容積2000ccの炊飯土鍋に、本発明の鍋蓋を用い、無洗米400ccと水560cc(約1.4倍)を入れて、電子レンジで浸漬時間なしで200W5分の後、500Wに切り替えて15分加熱、または、500Wで沸騰させた後、沸騰持続可能な出力に下げて５分程度加熱し、10分程度むらすと良好な炊飯ができる。
【実施例３】
【００２３】
粥を炊く場合は、容積2000ccの炊飯土鍋に、本発明の鍋蓋を用い、無洗米100ccと水500cc(5倍）を入れて電子レンジで浸漬時間なしで200W5分の後、500Wに切り替えて12分加熱、または、500Wで沸騰させた後、沸騰持続可能な出力に下げて５分程度加熱し、1５分程度むらすと良好な全粥が炊ける。
【産業上の利用可能性】
【００２４】
本発明の蓋を用いれば、電子レンジの炊飯のみならず、ガス用炊飯土鍋においても、噴きこぼれしにくく一重で取り扱いが楽な炊飯土鍋の蓋が提供できる。
【００２５】
土鍋は、炊飯用のみならず、通常の加熱が進んだ後に遠赤外線加熱が加わるため、他の加熱容器に比べて沸騰が一気に起こる傾向があるが、鍋蓋の周部に蒸気抜を複数個設けると、従来の土鍋の蓋の蒸気抜の穴よりも総面積が大きくなることで沸騰を緩慢にすることができ、弱い火力や出力で長時間加熱する場合も、緩やかな沸騰を持続させながら噴きこぼれにくい調理が可能になる。
【００２６】
耐熱ガラス製の蓋は調理中の鍋の中を見ることができて便利であるが、ガラス製で重みがある上に円周部を金属で補強してあるため密閉度が高く、中には蒸気抜の穴が開けられたものもあるが、他の蓋より沸騰が早い反面、噴きこぼれも早くおこる難点があるが、図3のような形状の蒸気抜を蓋の周に設けることは技術的に難しいことではなく、噴きこぼれしにくい耐熱ガラス製の蓋を提供することができ、また、汁物用の鍋にこの鍋蓋を用いれば、周に設けた蒸気抜は、蓋をしたままで玉杓子を入れておくことができる隙間としても使えて便利である。
【００２７】
電子レンジ用の炊飯容器は耐熱ガラスの物もあり、セラミックの特徴である遠赤外線の効果でおいしく炊ける反面、噴きこぼれが一気に起こる問題も土鍋と同様にあるが、鍋蓋の周に蒸気抜を設けた重い鍋蓋を用いることで解決できる。
【００２８】
電子レンジでの煮込み料理用の耐熱ガラス製キャセロールの蓋は、蒸気抜の穴が開けられていないが、蒸気抜を周に設ければ、弱出力で沸騰を長時間持続させながらの煮込み料理が可能になる。
【００２９】
一般的な加熱容器の蓋において、形は円形のみならず楕円や四角であっても、蒸気抜を周に設けることにより、従来よりも噴きこぼれにくい蓋を提供することができる。
【図面の簡単な説明】
【００３０】
【図１】図1は炊飯土鍋の蓋である。
【図２】図2は土鍋の蓋の例である。
【図３】図3は耐熱ガラスの蓋の例である。
【符号の説明】
【００３１】
１―蒸気抜
【図１】
2013022394.tif 000003
【図２】
2013022394.tif 000004
【図３】
2013022394.tif 000005